(57)【要約】【課題】照明手段による照明を施錠装置で補助し得るよう構成する。【解決手段】前枠１３には、前方に膨出した形状に形成された第３装飾カバー部材８２が基枠５０の前側に設けられると共に、前方に向けて光を照射し得る第３照明装置７２が該基枠５０に配設される。基枠５０と第３装飾カバー部材８２との間に画成される内部空間Ｓに施錠装置１１０が配設され、施錠装置１１０における収容空間Ｓ内に位置するケース部材１１３が、第３照明装置７２の第３発光体７２ｂと隣り合っている。ケース部材１１３の前後に延在する外面には、第３発光体７２ｂから前方に照射した光を反射し得る基板部１４１が設けられている。【選択図】図１４
2016041187.tif 000002
【特許請求の範囲】
【請求項１】
第１の基体にヒンジ接続されて開閉可能な第２の基体と、前記第１の基体および第２の基体に設けられて両基体を閉鎖状態で保持する施錠機構と、前記第２の基体に前記施錠機構と連係した状態で設けられ、鍵による解錠操作により前記施錠機構を作動して両基体の相対的な開放を許容する施錠装置とを備えた遊技機において、
前記第２の基体は、
ベースと、
前記ベースの前側に取り付けられると共に、前方に膨出した形状に形成されて、該ベースとの間に画成される空間に前記施錠装置を収容する装飾部材と、
前記装飾部材を内側から照明するように配設された照明手段とを備え、
前記施錠装置は、
前面に設けられた鍵穴から差し込んだ前記鍵により回動される錠軸を有する錠操作部と、
前記装飾部材の前面と前記ベースとの前後寸法に基づいて前後長が設定され、前記錠軸の後端に連結される連係部材と、
前記装飾部材の前面に開設された開口に前記鍵穴を臨ませて前記錠操作部を支持するよう前記ベースから延出した状態で配設され、前記連係部材を内部に回転可能に保持するケース部材と、
前記ベースの後側に突出する前記連係部材に配設され、前記施錠機構と連係する解錠部と、
前記ケース部材の前後に延在する外面に設けられ、前記照明手段の発光部からの光を反射し得る反射部とを備え、
前記装飾部材の壁部には、前記照明手段の発光部から照射した光および前記反射部による反射光により照明される光透過部が設けられた
ことを特徴とする遊技機。
【請求項２】
前記照明手段は、前記ケース部材において前記反射部が設けられた外面と隣り合う位置に配設され、前方に向けて光を照射し得る前記発光部を有し、
前記光透過部として、前記装飾部材における前記開口の周辺部に設けられた前光透過部を備える請求項１記載の遊技機。
【請求項３】
前記照明手段は、前記ケース部材において前記反射部が設けられた外面と隣り合う位置に配設され、前方に向けて光を照射し得る前記発光部を有し、
前記光透過部として、前記装飾部材において、前記ケース部材の反射部に対向すると共に前後に延在する壁部に設けられた側面光透過部を備える請求項１または２記載の遊技機。
【発明の詳細な説明】
【技術分野】
【０００１】
この発明は、第１の基体にヒンジ接続されて開閉可能な第２の基体と、第２の基体に配設され、第１の基体および第２の基体に設けられた施錠機構に連係した施錠装置とを備えた遊技機に関するものである。
【背景技術】
【０００２】
パチンコ機やスロットマシン等の遊技機は、図柄組合せ演出を行う表示装置が配設された本体と、該本体の前側に開閉可能に配設され、本体へ閉じた状態で表示装置の表示部を視認可能な窓口が設けられた扉部材を備えている。本体および扉部材には、本体に扉部材を閉鎖状態で保持する施錠機構が配設されている。また、扉部材には、施錠機構に連係した状態で施錠装置が配設され、鍵による解錠操作により、本体に対する扉部材の開放を許容するようになっている。
【０００３】
扉部材は、前述した窓口が形成されたベースと、該ベースの前側に窓口を囲むように配設された装飾部材とを備えている。ここで、近年の遊技機における装飾部材は、装飾効果を高めるために、従来の装飾部材よりも前後長を大きくして、ベースへの装着時に窓口から前方へ膨出した形状のものが採用されている。このため、扉部材に配設される施錠装置は、シリンダ錠等の錠操作部の後側に、連係部材を収容したケース部材を設け、装飾部材の前後長に合わせて全長を拡大したものが提案されて実用化されている(特許文献１)。
【先行技術文献】
【特許文献】
【０００４】
【特許文献１】特開２００６−２８８４８７号公報
【発明の概要】
【発明が解決しようとする課題】
【０００５】
特許文献１の遊技機は、前後長を大きくした前面枠を備え、変換式錠本体の後側に延設ブロックを取り付けて全長を拡大したキー交換式錠が、該変換式錠本体を前側に向けた姿勢で前面枠内に配設されている。ここで、前面枠に照明手段を配設して該前面枠を照明するよう構成した遊技機では、キー交換式錠の延設ブロックが照明手段による前面枠の照明の邪魔になり、該前面枠における該キー交換式錠の周辺部位が照明困難となるため、前面枠における該周辺部が該前面枠の他の部位より暗くなって好適な装飾効果が得られない問題を内在している。
【０００６】
そこで本発明は、従来の遊技機に内在する前記問題に鑑み、これを好適に解決するべく提案されたものであって、照明手段による照明を施錠装置で補助し得るよう構成した遊技機を提供することを目的とする。
【課題を解決するための手段】
【０００７】
前記課題を克服し、所期の目的を達成するため、請求項１に係る発明の遊技機は、
第１の基体(12)にヒンジ接続されて開閉可能な第２の基体(13)と、前記第１の基体(12)および第２の基体(13)に設けられて両基体(12,13)を閉鎖状態で保持する施錠機構(26)と、前記第２の基体(13)に前記施錠機構(26)と連係した状態で設けられ、鍵による解錠操作により前記施錠機構(26)を作動して両基体(12,13)の相対的な開放を許容する施錠装置(110)とを備えた遊技機において、
前記第２の基体(13)は、
ベース(50)と、
前記ベース(50)の前側に取り付けられると共に、前方に膨出した形状に形成されて、該ベース(50)との間に画成される空間(S)に前記施錠装置(110)を収容する装飾部材(82)と、
前記装飾部材(82)を内側から照明するように配設された照明手段(72,73)とを備え、
前記施錠装置(110)は、
前面に設けられた鍵穴(118)から差し込んだ前記鍵により回動される錠軸(116)を有する錠操作部(111)と、
前記装飾部材(82)の前面と前記ベース(50)との前後寸法に基づいて前後長が設定され、前記錠軸(116)の後端に連結される連係部材(112)と、
前記装飾部材(82)の前面に開設された開口(100)に前記鍵穴(118)を臨ませて前記錠操作部(111)を支持するよう前記ベース(50)から延出した状態で配設され、前記連係部材(112)を内部に回転可能に保持するケース部材(113)と、
前記ベース(50)の後側に突出する前記連係部材(112)に配設され、前記施錠機構(26)と連係する解錠部(114)と、
前記ケース部材(113)の前後に延在する外面に設けられ、前記照明手段(72,73)の発光部(72b,73b)からの光を反射し得る反射部(113a,113b)とを備え、
前記装飾部材(82)の壁部(88,89,90)には、前記照明手段(72,73)の発光部(72b,73b)から照射した光および前記反射部(113a,113b)による反射光により照明される光透過部(94,96,101)が設けられたことを要旨とする。
【０００８】
請求項１の発明によれば、ベースの前面と装飾部材との間には、施錠装置における鍵穴を装飾部材の開口に臨ませて錠操作部を支持するケース部材が、該ベースから延出した状態に配設されている。ケース部材の外面には、照明手段の発光部からの光を反射し得る反射部が設けられているので、この反射部による反射光が、装飾部材の壁部に設けられた光透過部の照明に寄与する。従って、施錠装置が照明手段による照明の邪魔にならず、むしろ照明手段による光透過部の照明を施錠装置が補助して、装飾部材による装飾効果を向上させることができる。
【０００９】
請求項２に記載の発明では、
前記照明手段(72)は、前記ケース部材(113)において前記反射部(113b)が設けられた外面と隣り合う位置に配設され、前方に向けて光を照射し得る前記発光部(72b)を有し、
前記光透過部として、前記装飾部材(82)における前記開口(100)の周辺部に設けられた前光透過部(101)を備えることを要旨とする。
請求項２に係る発明によれば、装飾部材における開口の周辺部に設けられた前光透過部が、照明手段の発光部から前方へ照射した光およびケース部材の反射部による反射光で照明されるので、施錠装置が照明手段による該光透過部の照明を補助して、装飾部材による装飾効果を向上させることができる。
【００１０】
請求項３に記載の発明では、
前記照明手段(72)は、前記ケース部材(113)において前記反射部(113b)が設けられた外面と隣り合う位置に配設され、前方に向けて光を照射し得る前記発光部(72b)を有し、
前記光透過部として、前記装飾部材(82)において、前記ケース部材(113)の反射部(113b)に対向すると共に前後に延在する壁部(90)に設けられた側面光透過部(96)を備えることを要旨とする。
請求項３に係る発明によれば、装飾部材における反射部と対向する壁部に設けられた側面光透過部が、照明手段の発光部から前方へ照射した光およびケース部材の反射部による反射光で照明されるので、施錠装置が照明手段による該光透過部の照明を補助して、装飾部材による装飾効果を向上させることができる。
【発明の効果】
【００１１】
本発明に係る遊技機によれば、照明手段と隣り合う施錠装置で該照明手段による照明を補助して、装飾部材による装飾効果を向上させることができる。
【図面の簡単な説明】
【００１２】
【図１】実施例のパチンコ機の正面図である。
【図２】図１のＸ１−Ｘ１線断面図である。
【図３】実施例のパチンコ機を、透視保護板を前枠から取り外すと共に、遊技盤の遊技領域内の構成を省略した状態で前方右斜め上方から見た斜視図である。
【図４】実施例のパチンコ機を、中枠に対して前枠を開放し、透視保護板を前枠から取り外すと共に遊技盤の遊技領域内の構成を省略した状態で示す斜視図である。
【図５】前枠を、各構成部材を分離した状態で前方右斜め上方から見た分解斜視図である。
【図６】前枠を、各構成部材を分離した状態で後方左斜め上方から見た分解斜視図である。
【図７】第３装飾カバー部材を、各構成部材を分離した状態で前方右斜め上方から見た分解斜視図である。
【図８】第３装飾カバー部材を、各構成部材を分離した状態で後方左斜め上方から見た分解斜視図である。
【図９】(ａ)は、施錠装置を前方右斜め上方から見た斜視図であり、(ｂ)は、施錠装置を後方左斜め上方から見た斜視図である。
【図１０】施錠装置を、各構成部材を分離した状態で前方右斜め上方から見た分解斜視図である。
【図１１】施錠装置を、各構成部材を分離した状態で後方左斜め上方から見た分解斜視図である。
【図１２】(ａ)は、操作機構の非操作状態を示す説明図であり、(ｂ)は、操作機構の操作状態を示す説明図である。
【図１３】(ａ)は、基枠およびベース体に固定した施錠装置を前方右斜め上方から見た部分斜視図であり、(ｂ)は、基枠およびベース体に固定した施錠装置を後方左斜め上方から見た斜視図である。
【図１４】図２のＸ２−Ｘ２線断面図である。
【図１５】図１のＸ３−Ｘ３線断面図である。
【図１６】図１のＸ４−Ｘ４線断面図である。
【発明を実施するための形態】
【００１３】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１４】
(パチンコ機)
図１〜図４に示すように、実施例に係るパチンコ機１０は、前後に開口する矩形枠状に形成されて遊技店の図示しない設置枠台に縦置き姿勢で設置される固定枠としての外枠１１の開口前面側に、遊技盤３０を着脱可能に保持する本体枠としての中枠(第１の基体)１２が開閉および着脱可能に組み付けられて、該遊技盤３０の裏側に、所定条件の成立(始動入賞装置３４の始動入賞口へのパチンコ球の入賞)を契機として演出用の図柄(以下飾図という)を変動表示させて図柄変動演出を行う演出実行手段としての図柄表示装置(表示装置)４５が着脱可能に配設されている。また、中枠１２の前面側には、遊技盤３０を透視保護するガラス板や透明な合成樹脂材により形成された透視保護板５２(図１参照)で前後に開口する窓口１３ａを覆うよう構成された装飾枠または機体としての前枠(第２の基体)１３が開閉可能に組み付けられている。前枠１３の下部位置には、パチンコ球を貯留する上球皿１４および下球皿１５が上下に離間して該前枠１３と一体的に開閉可能に設けられている。また、前枠１３の前側における下球皿１５の側方に、中枠１２の下枠部材１８に配設された球発射装置２３(図４参照)を作動する操作ハンドル１６が設けられると共に、該前側１３の裏側に、上球皿１４に貯留したパチンコ球を球発射装置２３に向けて１球ずつ供給する球送り装置２４が配設されている。これにより、パチンコ機１０は、操作ハンドル１６の回動操作によって球送り装置２４および球発射装置２３が作動されて、上球皿１４に貯留されたパチンコ球が１球ずつ遊技盤３０に向けて発射されるようになっている。
【００１５】
(外枠)
外枠１１は、図２〜図４に示すように、４つの枠部材を相互に組み付けることで縦長の矩形枠体として構成されている。外枠１１には、中枠１２の後述する左枠部材１９側がヒンジ機構２５を介して開閉および着脱自在に支持され、外枠１１に対して中枠１２を閉成することで、該外枠１１内に中枠１２の後側部分を収容するよう構成されている。
【００１６】
(中枠)
中枠１２は、図４に示すように、上縁をなす上枠部材１７と、下縁をなして球発射装置２３や各種制御装置(図示せず)等を設置する設置部として機能する下枠部材１８と、左縁をなす左枠部材１９と、右縁をなす右枠部材２０とを備え、これら上下左右の枠部材１７,１８,１９,２０を組み付けた際に、全体が外枠１１の前開口端に整合する大きさに形成される。そして、中枠１２は、左枠部材１９がヒンジ機構２５を介して外枠１１に対し回動自在に支持され、左枠部材１９側を中心として回動して外枠１１に閉成される。中枠１２の右枠部材２０の後面には、図２および図１６に示すように、施錠機構２６を構成して、係止フック等の施錠部(図示せず)を備えた第１作動部材２７が配設されると共に、外枠１１の右枠部には、該第１作動部材２７の施錠部が係脱可能に係止する係止部(図示せず)が設けられており、外枠１１に対して中枠１２を閉成した状態で第１作動部材２７の施錠部が外枠１１の係止部に係止することにより、中枠１２が外枠１１に対して施錠される。また、中枠１２に配設された第１作動部材２７は、前枠１３に設けられた施錠装置１１０と連係可能となっており、該施錠装置１１０の操作に基づいて施錠部と係止部との係止が解除されるように作動し、これにより外枠１１と中枠１２との解錠が行われるよう構成されている。また、中枠１２には、上下左右の枠部材１７,１８,１９,２０を組み付けることで前後に開口する遊技盤保持部１２ａが画成され、該遊技盤保持部１２ａに遊技盤３０が着脱自在にセット保持される。実施例では、上下の枠部材１７,１８が合成樹脂材で成形されると共に、左右の枠部材１９,２０はアルミニウム等の金属材により成形されて、中枠１２全体としての剛性を確保しつつ軽量化が図られている。なお、中枠１２は、上下左右の各枠部が一体成形されたものであってもよい。
【００１７】
(遊技盤)
遊技盤３０は、ベニヤ材や合成樹脂材により形成された略矩形状の板部材であって、図１、図３および図４に示すように、該遊技盤３０の裏面側に図柄表示装置４５が着脱可能に組み付けられている。遊技盤３０の前面には、略円形状に湾曲形成した案内レール３１が配設されており、該案内レール３１により画成される略円形の遊技領域３２に、中枠１２に配設された球発射装置２３から発射されたパチンコ球が打ち出されることで遊技が行われるようになっている。また、遊技盤３０には、前後に貫通する複数の装着口が開設されており、各種の遊技盤設置部品(具体的には枠状装飾体３３、始動入賞装置３４、特別入賞装置３６、球通過ゲート３７、普通入賞具３８等が各装着口に対し前側から取り付けられる。遊技盤３０の前面における遊技領域３２には、多数の遊技釘３９が打設されると共に、枠状装飾体３３の左側方に、遊技領域３２を流下するパチンコ球の接触に伴って回転する所謂「風車」とも称される回転案内部材４０が回転自在に支持されており、遊技領域３２を流下するパチンコ球が遊技釘３９や回転案内部材４０に接触することで、流下方向が不規則に変化するよう構成されている。また、遊技領域３２の最下部位置には、該遊技領域３２に打ち出されたパチンコ球を排出するアウト口４１が開設されている。なお、装着口の形成数は、遊技盤３０に取り付けられる各種遊技盤設置部品の個数や配設位置等により必要に応じて適宜変更される。
【００１８】
図１に示すように、遊技盤３０の遊技領域３２の略中央に配設されたセンター役とも称される枠状装飾体３３は、環状に構成されて内側には前後に開口する表示窓口３３ａが形成され、該表示窓口３３ａを介して図柄表示装置４５の表示部４５ａが遊技盤３０の前面側に臨むよう構成されている。遊技盤３０における枠状装飾体３３の下方位置に配設された第１始動入賞装置３４は、始動入賞口が遊技領域３２内で常に上方へ開口する常時開放タイプの入賞口とされ、遊技領域３２を流下するパチンコ球が常時一定の確率で入賞可能に構成されている。遊技領域３２において、枠状装飾体３３の右側には、装飾部材に隠れて第２始動入賞装置(図示せず)が配設されている。また、遊技盤３０の遊技領域３２内において、第１始動入賞装置３４の右側に、特別入賞装置３６が配設されると共に、枠状装飾体３３の右部分には、別の特別入賞装置３６が配設されている。
【００１９】
(始動入賞装置)
第１始動入賞装置３４および第２始動入賞装置には、各々の始動入賞口に入賞したパチンコ球を検出する始動入賞検出手段としての始動入賞検出センサ(図示せず)が設けられ、該始動入賞検出センサはパチンコ機１０の裏側に配設されたメイン制御基板(図示せず)に配線接続されており、該始動入賞検出センサによるパチンコ球の検出を契機として所定数(実施例では３個)の賞球が払い出されるようになっている。また、始動入賞検出センサによるパチンコ球の検出に伴って各種情報(各種乱数情報)が取得され、この取得した情報に基づいて特図当り抽選(大当り判定)が行われるよう構成されている。そして、特図当り抽選の結果に基づいて図柄表示装置４５において図柄変動演出が実行されると共に、特図表示器(図示せず)において特図変動が実行されるようになっている。図柄表示装置４５での図柄変動演出の結果、該図柄表示装置４５の表示部４５ａに所定の当り表示(大当り表示)となる図柄組み合わせ(例えば同一飾図の３つ揃い等)で飾図が確定停止表示されることで、遊技者に有利な当り遊技(大当り遊技)が付与され、当り遊技の発生に伴って特別入賞装置３６を所定の開放条件で開放する当り遊技が行われて、遊技者が賞球を獲得し得る機会が与えられるよう構成される。
【００２０】
(特別入賞装置)
第１始動入賞装置３４の右隣りに配設された特別入賞装置３６は、横長に開口する特別入賞口を開閉する開閉部材３６ａを備えており、駆動手段の駆動に伴って板状の開閉部材３６ａが前後方向へ回動することで特別入賞口を開閉するようになっている。枠状装飾体３３の右側部分に配設された特別入賞装置３６は、左右方向へ回動する開閉部材３６ａを備えており、駆動手段の駆動に伴って開閉部材３６ａが閉鎖位置から開放位置へ回動することで特別入賞口が画成されるよう構成されている。また、各特別入賞装置３６には、特別入賞口に入賞したパチンコ球を検出する特別入賞検出手段としての特別入賞センサ(図示せず)が設けられて、該特別入賞センサはメイン制御基板に配線接続されており、該特別入賞センサからメイン制御基板への入賞検出信号の入力に伴って所定数(実施例では１５個)の賞球が払い出されるようになっている。ここで、特別入賞装置３６の駆動手段は、第１始動入賞装置３４または第２始動入賞装置へのパチンコ球の入賞を契機として各特別入賞装置３６の特別入賞口を開放する当り遊技(大当り遊技)が付与される場合に、当りの種類に応じた所定の開閉条件に従ってメイン制御基板によって駆動制御され、開閉部材３６ａが回動することで特別入賞口に対して多数のパチンコ球が入賞可能となる。
【００２１】
(前枠)
前枠１３は、図４〜図６に示す如く、全体が合成樹脂により中枠１２の外形サイズに成形され、遊技盤３０の遊技領域３２および該遊技領域３２の外側の一部を前側から視認し得る窓口１３ａを開設した基枠(ベース)５０と、該基枠５０の裏側に配設された金属製のベース部材５１とを備え、該ベース部材５１の裏側に保持した透視保護板５２(図１参照)によって遊技盤３０の遊技領域３２を透視可能に保護するよう構成される。基枠５０は、上縁をなす上枠部５３と、下縁をなす下枠部５４と、左縁をなす左枠部５５と、右縁をなす右枠部５６が一体的に成形されると共に、下枠部５４の表側に、別体の設置基材５７を固定して構成されている。窓口１３ａは、上下および左右の各枠部５３,５４,５５,５６の内縁部によって画成されている。図５および図６に示す如く、上枠部５３の内縁部は上側に凹となる略弧状に形成され、左枠部５５の内縁部は左側に凹となる略弧状に形成され、右枠部５６の内縁部は右側に凹となる略弧状に形成されている。また、下枠部５４の内縁部は、左右方向に略水平に延在すると共に、左右中央より右側が上方へ凸となる弧状部が連設された形状に形成されている。
【００２２】
前枠１３は、中枠１２に対して左枠部５５がヒンジ機構２５を介して回動自在に支持され、中枠１２に対して前枠１３を左枠部５５側を中心として回動して閉成することで、中枠１２の表側が前枠１３で覆われる。また、前枠１３の右枠部５６の後側には、図４、図１３および図１６に示すように、施錠機構２６を構成して、係止フック等の施錠部２８ａを備えた第２作動部材２８が配設され、中枠１２の右枠部５６には、該第２作動部材２８の施錠部２８ａが係脱可能に係止する係止部(図示せず)が設けられており、中枠１２に対して前枠１３を閉成した状態で第２作動部材２８の施錠部２８ａが中枠１２の係止部に係止することにより、前枠１３が中枠１２に対して施錠される。また、前枠１３に配設された第２作動部材２８は、該前枠１３に設けられた施錠装置１１０と連係可能となっており、該施錠装置１１０の操作に基づいて施錠部２８ａと係止部との係止が解除されるように作動し、これにより中枠１２と前枠１３との解錠が行われるよう構成されている。なお、第２作動部材２８は、前枠１３の基枠５０の後面に取着された支持案内部２９(図１３、図１６参照)に対して上下にスライド自在に支持され、施錠部２８ａが中枠１２の係止部に係止した施錠位置と、該施錠位置から上方へ移動して該施錠部２８ａと中枠１２の係止部との係止が解除された解錠位置との間を移動するようになっている。
【００２３】
基枠５０における下枠部５４の前側に固定される設置基材５７には、図５および図６に示すように、表面の上部左側に上球皿１４が取り付けられ、表面の上部右側に可動操作装置６７が取り付けられ、表面の下部左側(上球皿１４の下方)に下球皿１５が取り付けられると共に、表面の下部右側に操作ハンドル１６が取り付けられる。また、設置基材５７の表側には、図１〜図３、図５および図６に示すように、上球皿１４、下球皿１５およびベース部材５１の前側に、複数(実施例では５つ)の前装飾部材(第１〜第５前装飾部材６０,６１,６２,６３,６４)が取り付けられている。また、設置基材５７と第１前装飾部材６０および第２前装飾部材６１との間において下球皿１５の右側には、スピーカ６６を備えた下部スピーカボックス６５が配設されている。なお、可動操作装置６７は、円形の操作部６７ａが上方へ露出した状態で第２前装飾部材６１に収容され、該操作部６７ａの押圧操作が可能となっている。
【００２４】
前枠１３の基枠５０には、図５および図６に示すように、第１照明装置７０が左枠部５５に配設され、第２照明装置７１が上枠部５３に配設され、第３照明装置(照明手段)７２が右枠部５６に配設されている。また、図７および図８に示すように、右枠部５６に配設される第３装飾カバー部材(装飾部材)８２の内部には、第４照明装置(照明手段)７３が配設されており、４基の照明装置７０,７１,７２,７３によって、窓口１３ａの外周における左右側部および上部を発光装飾し得るよう構成される。そして、図５および図６に示すように、第１照明装置７０から光が照射される透光性の第１装飾カバー部材８０が左枠部５５の表側に組み付けられ、第２照明装置７１から光が照射される透光性の第２装飾カバー部材８１が上枠部５３の表側に組み付けられ、第３照明装置７２からの光が照射される透光性の第３装飾カバー部材８２が右枠部５６の表側に組み付けられている。また、基枠５０の下枠部５４に取り付けられる設置基材５７の表面上縁に、第１装飾カバー部材８０と接続する第４装飾カバー部材８３が組み付けられている。そして、４つの各装飾カバー部材８０,８１,８２,８３および第２前装飾部材６１によって、窓口１３ａの外周が囲繞されている(図１、図３参照)。また、基枠５０の左上コーナー部に、第１装飾カバー部材８０および第２装飾カバー部材８１に連結される左上スピーカユニット８４が配設されると共に、該基枠５０の右上コーナー部に、第２装飾カバー部材８１および第３装飾カバー部材８２に連結される右上スピーカユニット８５が配設されている。なお、左上スピーカユニット８４および右上スピーカユニット８５は、透明なカバー部材８４ａ,８５ａに収容されている。
【００２５】
(第１照明装置)
左枠部５５に配設される第１照明装置７０は、図２および図５に示す如く、左枠部５５の裏側に配設された第１発光基板７０ａと、該第１発光基板７０ａの前面に実装されて前方に向けて光を照射するＬＥＤ等の複数の第１発光体７０ｂとを備えている。左枠部５５には、第１発光基板７０ａに実装した各第１発光体７０ｂと対応する位置に、前後方向に開口する第１通孔５５ａが形成され、第１発光体７０ｂから照射された光は、対応する第１通孔５５ａを通って第１装飾カバー部材８０に向けて照射されるよう構成される。なお、第１発光体７０ｂとしては、フルカラーＬＥＤまたは単色発光ＬＥＤを採用し得ると共に、フルカラーＬＥＤからなる第１発光体７０ｂと単色発光ＬＥＤからなる第１発光体７０ｂとを組み合わせることもできる。
【００２６】
(第１装飾カバー部材)
第１装飾カバー部材８０は、図２、図３、図５および図６に示す如く、全体が透明(透光性)で、前方へ膨出すると共に後方に開口する横断面の外形が略台形状に形成され、左枠部５５の前側を上下方向に亘って覆う形状に形成されている。第１装飾カバー部材８０の外面は、複雑な凹凸模様が形成されると共に、裏面には光を拡散する処理が施されている。これにより、第１照明装置７０の各第１発光体７０ｂからの光が後方から照射されることで、第１装飾カバー部材８０の外面が照明されるようになっている。第１装飾カバー部材８０の上端は、左上スピーカユニット８４のカバー部材８４ａに連結される。
【００２７】
(第２照明装置)
上枠部５３に配設される第２照明装置７１は、図５に示す如く、上枠部５３の裏側に配設された第２発光基板７１ａと、該第２発光基板７１ａの前面に実装されて前方に向けて光を照射するＬＥＤ等の複数の第２発光体７１ｂとを備えている。上枠部５３には、第２発光基板７１ａに実装した各第２発光体７１ｂと対応する位置に、前後方向に開口する第２通孔５３ａが形成され、第２発光体７１ｂから照射された光は、対応する第２通孔５３ａを通って第２装飾カバー部材８１に向けて照射されるよう構成される。なお、第２発光体７１ｂとしては、フルカラーＬＥＤまたは単色発光ＬＥＤを採用し得ると共に、フルカラーＬＥＤからなる第２発光体７１ｂと単色発光ＬＥＤからなる第２発光体７１ｂとを組み合わせることもできる。
【００２８】
(第２装飾カバー部材)
第２装飾カバー部材８１は、図２、図５および図６に示す如く、全体が透明で前方へ膨出すると共に後方に開口する縦断面の外形が略倒伏Ｕ字形状に形成され、上枠部５３の前側を左右方向に亘って覆う形状に形成されている。第２装飾カバー部材８１の外面は、複雑な凹凸模様や突起が形成されると共に、裏面には光を拡散する処理が施されている。これにより、第２照明装置７１の第２発光体７１ｂからの光が後方から照射されることで、第２装飾カバー部材８１の外面が照明されるようになっている。第２装飾カバー部材８１の左端は、左上スピーカユニット８４のカバー部材８４ａに連結されると共に、該第２装飾カバー部材８１の右端は、右上スピーカユニット８５のカバー部材８５ａに連結される。
【００２９】
(第３照明装置について)
右枠部５６に配設される第３照明装置７２は、図２、図５および図６に示す如く、右枠部５６の裏側に配設された第３発光基板７２ａと、該第３発光基板７２ａの前面に実装されて前方に向けて光を照射するＬＥＤ等の複数の第３発光体(発光部)７２ｂとを備えている。右枠部５６には、第３発光基板７２ａに実装した各第３発光体７２ｂと対応する位置に、前後方向に開口する第３通孔５６ａが形成され、第３発光体７２ｂから照射された光は、対応する第３通孔５６ａを通って第３装飾カバー部材８２に向けて照射されるよう構成される。なお、第３発光体７２ｂとしては、フルカラーＬＥＤまたは単色発光ＬＥＤを採用し得ると共に、フルカラーＬＥＤからなる第３発光体７２ｂと単色発光ＬＥＤからなる第３発光体７２ｂとを組み合わせることもできる。
【００３０】
(施錠装置取付部)
右枠部５６の下部には、図５、図６および図１３に示すように、施錠装置１１０を取り付ける施錠装置取付部５８が設けられている。施錠装置取付部５８は、基枠５０の右枠部５６に形成された第１挿通口５９ａおよびベース部材５１に該第１挿通口５９ａと同一形状に形成された第２挿通口５９ｂの後方に離間した位置に、施錠機構２６を構成する支持案内部２９に一体に設けられている。施錠装置取付部５８は、ベース部材５１から後方へ折曲した部位に、該ベース部材５１と対向に設けられ、第１挿通口５９ａおよび第２挿通口５９ｂに挿通した施錠装置１１０の支持ブラケット１４０における後支持板部１４２が後方から当接可能な形状に形成されている(図１３(ｂ)参照)。施錠装置取付部５８には、支持ブラケット１４０の後支持板部１４２に形成されたネジ挿通孔１４７と整合するネジ締結孔(図示せず)が形成されており、該ネジ挿通孔１４７に挿通させたネジを該ネジ締結孔に締結することで、錠操作部１１１を前方へ延出させた施錠装置１１０が該施錠装置取付部５８に固定されるようになっている。第１挿通口５９ａおよび第２挿通口５９ｂは、右枠部５６の下部において、第３照明装置７２の第３発光体７２ｂを前方へ臨ませる第３通孔５６ａの左側に開設されている。第１挿通口５９ａおよび第２挿通口５９ｂは、施錠装置１１０のケース部材１１３の縦断面形状と相似すると共に僅かに大きい開口形状に形成されており、施錠装置１１０を前枠１３の後方から挿通可能となっている。
【００３１】
(第３装飾カバー部材)
第３装飾カバー部材８２は、図２〜図８に示す如く、前方に膨出すると共に後方に開口する横断面の外形が前後に細長い略台形状に形成され、該第３装飾カバー部材８２が右枠部５６の前側を上下方向に亘って覆うように取り付けられる。第３装飾カバー部材８２は、窓口１３ａにおける右枠部５６の内縁部により画成される右側外周において該右枠部５６の前面から前方に膨出している(図１６参照)。第３装飾カバー部材８２は、全体が透明で窓口１３ａに近接する側の壁部を構成する内壁部材(壁部)８８と、該内壁部材８８に配設されて第３装飾カバー部材８２の前側の壁部を構成する前壁部材(壁部)８９と、内壁部材８８から右方に離間して位置して窓口１３ａから離間する側の壁部を構成する外壁部材(壁部)９０とを備え、外壁部材９０の前端部は前壁部材８９で覆われるようになっている(図１６参照)。そして、右枠部５６の前側に第３装飾カバー部材８２を取り付けた状態で、該第３装飾カバー部材８２と右枠部５６との間に内部空間Ｓが画成される。第３装飾カバー部材８２は、右枠部５６の前側に取り付けた状態で、上端部が右上スピーカユニット８５のカバー部材８５ａに接続されると共に、下端部が第２前装飾部材６１に対向している(図１４参照)。
【００３２】
第３装飾カバー部材８２の前端部は、上端および下端の前方への延出長さはほぼ同じであり、上端と下端との間において前後にうねった形状に形成されて、上端から下がった位置で最も前方へ突出している。第３装飾カバー部材８２における前壁部材８９の上端における前端部は、右上スピーカユニット８５のカバー部材８５ａの前端部の位置と略同じレベルに位置している(図２参照)。すなわち、前枠１３における基枠５０の前側に、第１〜第３装飾カバー部材８０,８１,８２を取り付けた状態で、３つの装飾カバー部材８０,８１,８２の前端部は、窓口１３ａの左下部側から左上隅部を経て右上隅部に向かうにつれて徐々に前方へ変位すると共に、該右上部から右下部に向かうにつれて僅かに後方へ変位するようになっている。つまり、基枠５０に第１〜第３装飾カバー部材８０,８１,８２を取り付けた状態の前枠１３において、右上部が最も前方に膨出している。また、左枠部５５に取り付けた第１装飾カバー部材８０と右枠部５６に取り付けた第３装飾カバー部材８２とでは、図２および図３に示す如く、対応する枠部５５,５６から前方への突出寸法は、ヒンジ機構２５が配設される左枠部５５とは反対側の右枠部５６に取り付けられる第３装飾カバー部材８２の方が大きく設定されており、前枠１３において第１〜第３装飾カバー部材８０,８１,８２で構成される前側の形態は左右非対称となっている。
【００３３】
(内壁部材)
内壁部材８８は、図７および図８に示す如く、右枠部５６から前方に向かうにつれて右側(外壁部材９０側)へ僅かに傾斜すると共に、その外周全周には、右方(外壁部材９０側)へ延出する外周壁９１が形成されている。外周壁９１の前側部分は、前壁部材８９の後側形状に合わせて、上側から下側に向かうにつれて前後にうねるように構成されていると共に、前後に貫通したネジ挿通孔９１ａが上下方向に離間して複数(実施例では３つ)形成されており、前壁部材８９を取り付けるネジが挿通されるようになっている。また、外周壁９１の前側部分における下部には、施錠装置１１０の錠操作部１１１が挿通する錠開口(開口)１００を形成する第１開口１００ａが形成されている。外周壁９１の前側部分は、第３照明装置７２の第３発光体７２ｂからの光が照射されるようになっている。
【００３４】
外周壁９１の後側部分は、第３通孔５６ａおよび第１挿通口５９ａとの前後の重なりを回避するよう、右端が凹凸状に形成されている。そして、内壁部材８８右壁面には、第４照明装置７３の第４発光基板７３ａを位置決めする複数(実施例では２つ)の位置決めボス９２が、右方へ突出して形成される。更に、内壁部材８８は、外壁部材９０を組み付けるネジが挿通される複数のネジ挿通孔９３が、該内壁部材８８を左右に貫通して形成されている。そして、内壁部材８８における窓口１３ａに向いた外側面には、所要の意匠形状に形成された複数の透光性の装飾部材(光透過部)９４が取り付けられる。
【００３５】
(外壁部材)
外壁部材９０は、図３、図７および図８に示す如く、右枠部５６から前方に略垂直に延出して、外側面(右側の側面)は、細かな凹凸模様を有するものの全体的には略平坦状に形成されている。また外壁部材９０は、透明な部材にメッキ処理等の非透光性処理が施された非光透過部９５を設けることで、該非光透過部９５以外の部分に、所要の意匠を構成する側面光透過部(光透過部)９６を形成したものであって、側面光透過部９６を取り囲むように存在する非光透過部９５によって、該側面光透過部９６が照明された際の注目度を高めることができるようになっている。第３装飾カバー部材８２の上端は、右上スピーカユニット８５のカバー部材８５ａの右側面に重なるように接続されると共に、該第３装飾カバー部材８２の下端は、第２前装飾部材６１の右側面に重なっている。すなわち、パチンコ機１０の右側面には、基枠５０から前方に突出する略平坦状な外壁部材９０の全体が視認可能に露出するよう構成される。外壁部材９０の側面光透過部９６で表わす意匠としては、例えば社名や機種名、その他キャッチフレーズ等の文字、あるいはパチンコ機１０のモチーフとなるキャラクタ等の図柄等、各種のものを採用可能である。なお、外壁部材９０における側面光透過部９６に対応する表面に、凹凸による光拡散処理が施されて、該側面光透過部９６の全体が均一に照明され得るようになっている。そして、外壁部材９０の右側面には、内壁部材８８に設けられた各ネジ挿通孔９３に左右方向で整合する位置に、複数の取付ボス９７が左方へ突出して形成される。
【００３６】
(前壁部材)
前壁部材８９は、表面の全体がメッキ処理された非光透過性の部材であって、第３装飾カバー部材８２の前端部は第３発光体７２ｂからの光が反射し得るよう構成される。なお、実施例では、内壁部材８８の前端部に１つの前壁部材８９が取り付けられているが、複数の前壁部材８９を取り付けるようにしてもよい。前壁部材８９の後側には、図８に示すように、後方へ延出したネジ締結部９９が、上下方向に離間して複数(実施例では３つ)形成されており、各ネジ締結部９９は、内壁部材８８に設けられたネジ挿通孔９１ａに整合する。従って、ネジ挿通孔９１ａに後側から挿通したネジをネジ締結部９９に締結することで、前壁部材８９が内壁部材８８の前側に取り付けられるようになっている。
【００３７】
(錠開口)
前壁部材８９の下部には、図３、図７および図８に示すように、錠開口１００を構成する第２開口１００ｂが形成されている。第２開口１００ｂは、前壁部材８９に形成された第１開口１００ａに前後方向で整合する位置に設けられている。錠開口１００は、錠操作部１１１の前面形状に合わせて円形となっている。なお、前壁部材８９の外周壁９１における第１開口１００ａの周囲部分は、透光性を有する前光透過部(光透過部)１０１となっており、第３照明装置７２の第３発光体７２ｂからの光が照射されることで照明されるようになっている。
【００３８】
(第４照明装置)
図７、図８および図１４に示すように、第３装飾カバー部材８２に内部画成された内部空間Ｓに、第４照明装置７３が配設されている。第４照明装置７３は、内壁部材８８の右側面に位置決めされて、該内壁部材８８および外壁部材９０を組み付けることで両壁部材８８,９０で挟まれた状態で保持される第４発光基板７３ａと、該第４発光基板７３ａにおける左方を向いた表面に実装されて内壁部材８８に向けて光を照射するＬＥＤ等の複数の第４発光体(発光部)７３ｂとを備えている。第４照明装置７３は、第３装飾カバー部材８２の内部空間Ｓにおいて、施錠装置１１０の配設領域より上方に収容可能な上下サイズとされ、前縁側は内壁部材８８の外周壁９１のうねり形状に合わせて前後に凹凸している。第４発光基板７３ａには、内壁部材８８に設けられた前述の位置決めボス９２に対応する位置決め孔７３ｃが形成されていると共に、内壁部材８８と外壁部材９０とを締結する取付ネジが挿通するネジ挿通孔７３ｄが複数設けられている。
【００３９】
第３装飾カバー部材８２の内部空間Ｓ内に配設された第４照明装置７３は、図１４に示すように、第４発光基板７３ａの幅方向が前後となる向きで略鉛直に支持されており、内部空間Ｓにおける施錠装置１１０から上方の領域を左右に区画している。そして、第４照明装置７３の第４発光基板７３ａは、右枠部５６に設けられた第３通孔５６ａよりも左側に位置しており、第３照明装置７２の第３発光体７２ｂより左側に位置している。従って、第４発光体７３ｂから照射された光は、該第３装飾カバー部材８２の内壁部材８８に向けて照射されて、該内壁部材８８の左外面に配設された各装飾部材９４を照明するよう構成される。なお、第４発光体７３ｂとしては、フルカラーＬＥＤまたは単色発光ＬＥＤを採用し得ると共に、フルカラーＬＥＤからなる第４発光体７３ｂと単色発光ＬＥＤからなる第４発光体７３ｂとを組み合わせることもできる。
【００４０】
第４照明装置７３の第４発光基板７３ａは、第４発光体７３ｂが配設された表面と反対の裏面７４が光沢処理を施されている。そして、第４照明装置７３は、第３装飾カバー部材８２の内部空間Ｓに収容保持された状態において、光沢処理された裏面７４が、第３発光体７２ｂを挟んで外壁部材９０と対向するように配置される。従って、第３照明装置７２の第３発光体７２ｂから前方へ照射された光の一部が、第４発光基板７３ａの裏面７４で右方へ反射するようになり、該反射光により外壁部材９０の側面光透過部９６が照明され得るようになっている。また、第４発光基板７３ａは、第３照明装置７２の第３発光体７２ｂから照射された光を、内壁部材８８側へ到達するのを規制するようになっている。
【００４１】
(施錠装置について)
次に、前枠１３に配設された施錠装置１１０について説明する。なお、施錠装置１１０の説明における「前後」、「左右」および「上下」の方向は、前枠１３を中枠１２に閉じた状態で指示する。
【００４２】
実施例の施錠装置１１０は、前方へ膨出した形状に形成された第３装飾カバー部材８２の前後寸法に基づき、従来のパチンコ機に多く実施されてきた従来の施錠装置と比べて前後寸法を拡大したものである。これにより、施錠装置１１０および第３装飾カバー部材８２をを基枠５０に取り付けた状態では、前面に設けられた鍵穴１１８が該第３装飾カバー部材８２の前壁に臨むようになり、該第３装飾カバー部材８２の意匠形状に及ぼす影響を最小限に抑え得るようになっている。実施例の施錠装置１１０は、図９〜図１１および図１３に示すように、前面に鍵穴１１８が設けられると共に該鍵穴１１８から差し込んだ鍵により回動される錠軸１１６を有する錠操作部１１１と、第３装飾カバー部材(装飾部材)８２の前面と基枠５０との前後寸法に基づいて前後長が設定されて、錠軸１１６の後端に連結される連係部材１１２と、基枠５０から前方に延出した状態で配設されると共に、連係部材１１２を内部に回転可能に保持するケース部材１１３と、基枠５０の後側に突出する連係部材１１２に配設され、施錠機構２６と連係する解錠部１１４とを備える。基枠５０から前方に延出した状態に配設されるケース部材１１３は、第３装飾カバー部材８２の前面に開設された錠開口(開口)１００に鍵穴１１８を臨ませるように錠操作部１１１を支持するようになっている。
【００４３】
(錠操作部)
錠操作部１１１は、所謂シリンダ錠であって、図９(ａ)、図１０、図１１および図１５に示すように、前後に延在する円筒状の外筒１１５と、該外筒１１５の内側に回転可能に収容された錠軸１１６とを備えている。また、錠操作部１１１は、外筒１１５の後部に、ケース部材１１３を支持する支持ブラケット１４０に連結される板状の取付板部１１７が一体に形成されている。取付板部１１７は、錠操作部１１１の後部から上方および下方へ延出して、後面が上下に長い板状をなしている。錠操作部１１１の前面には鍵穴１１８が設けられており、正規の鍵(図示せず)を鍵穴１１８に差し込んだ場合には錠軸１１６の回転が許容される。また、錠軸１１６の後端部は取付板部１１７から後方へ延出しており(図１０、図１５参照)、該錠軸１１６の後端部には、連係部材１１２と連結するジョイント部材１１９が固定されている。
【００４４】
実施例の錠操作部１１１は、所謂合鍵変更型の錠であり、鍵を変更する際に操作する操作レバー１２０が、取付板部１１７の後面から外方へ突出して設けられている。この錠操作部１１１は、使用中の正規の鍵を別の鍵に変更する場合に、使用中の鍵を鍵穴１１８に差し込み、操作レバー１２０を押し下げた状態で該使用中の鍵により錠軸１１６を１８０度回転させ、当該使用中の鍵を一旦引き抜く。そして、以降に使用予定の新鍵を鍵穴１１８に差し込み、錠軸１１６を逆に１８０度回転させて元の位置に戻すと、シリンダ錠のコードピン、ドライブピンの解錠配列（シャーライン上で各ピンの当接位置が揃う配列）が変更され、新鍵を正規の鍵として変更し得る構造となっている。
【００４５】
(ケース部材)
ケース部材１１３は、図９〜図１１に示すように、本体１２１と、該本体１２１に着脱可能に組み付けられるカバー体１２２とを備え、本体１２１とカバー体１２２とを組み付けることで、前後に延在する第１収容空間１２３および第２収容空間１２４が、上下に並んだ状態で内部に画成される。第１収容空間１２３には、前述した連係部材１１２が回転可能に収容されると共に、第２収容空間１２４には、前述した操作レバー１２０を操作する操作機構１２５(図１０、図１１参照)が収容されるようになっている。ケース部材１１３は、本体１２１とカバー体１２２とを組み付けることで、前後長および上下長に比べて左右幅が小さい偏平ブロック状に構成されている。実施例のケース部材１１３は、鍵穴１１８を第３装飾カバー部材８２の前面に形成した錠開口１００を臨ませた錠操作部１１１の後面から、基枠５０の右枠部５６の後方に至る前後長に設定されている。
【００４６】
ケース部材１１３は、錠操作部１１１の真後ろに位置する当該ケース部材１１３の上下中間部分が、該錠操作部１１１の直径と同じ最大の左右幅となっており、該最大幅部分から上方に位置する上側部分は、上方にいくにつれて左右幅が徐々に小さくなると共に、該最大幅部分から下方に位置する下側部分は、下方にいくにつれて左右幅が徐々に小さくなる形状となっている。そして、ケース部材１１３の左外側面(反射部)１１３ａは、最大幅部分が鉛直になっており、上側部分は上方にいくにつれて右方へ変位するよう傾斜していると共に、下側部分は下方にいくにつれて右方へ変位するよう傾斜している。一方、ケース部材１１３の右外側面(反射部)１１３ｂは、最大幅部分から上側部分は鉛直になっており、下側部分は下方にいくにつれて左方へ変位するよう傾斜している。また、ケース部材１１３の前面および後面は、鉛直に延在して平行になっている。本体１２１およびカバー体１２２は、合成樹脂製の成形部材で外面全体が光沢を有しており、照射された光を反射可能になっている。実施例では、本体１２１およびカバー体１２２が白色の合成樹脂材から成形されている。
【００４７】
(本体)
本体１２１は、図１０および図１１に示すように、最大幅部分および上側部分における左半分が切り欠かれており、この凹んだ部分にカバー体１２２が整合するようになっている。本体１２１の最大幅部分には、前後に延在して左側、前面および後面に開口し、前述した第１収容空間１２３の右半分を画成する第１凹部１２６が設けられている。第１凹部１２６は、前後方向に延在すると共に左方に開口する半樋形状をなしている。第１凹部１２６における前後中央よりも前側部分には、連係部材１１２の軸部を回転可能に枢支する第１軸支部１２７が設けられている。また、第１凹部１２６における第１軸支部１２７よりも後側に、連係部材１１３に実装された第１付勢手段としてのねじりバネ１５６(図１０、図１１参照)の各脚部１５６ａ,１５６ａが係止されるバネ係止部１２８,１２８が形成されている。
【００４８】
本体１２１の上側部分には、図１０および図１１に示すように、前後に延在して左側、前面および後面に開口し、前述した第２収容空間１２４を画成する第２凹部１２９が設けられている。第２凹部１２９は、前後方向に延在すると共に左方へ開口する半樋状をなしていると共に、前面に臨む部分は上下幅が拡大している。第２凹部１２９の前側に位置する上下拡大部分には、左右方向へ延在する軸支孔１３０が形成されており、操作機構１２５における第１操作部材１６０に設けられた支軸１６２が係合するようになっている。また、第２凹部１２９の前後中間部分には、左方へ突出した凸部１３１が形成されており、操作機構１２５における第２操作部材１６１を後方へ付勢する第２付勢手段としての圧縮コイルバネ１６８の端部が当接するようになっている。
【００４９】
本体１２１の右外側面１１３ｂには、図１０に示すように、右方、前面および後面に開口する嵌合凹部１３２が形成されている。この嵌合凹部１３２には、支持ブラケット１４０の基板部１４１が嵌合するようになっており、該嵌合凹部１３２の上下幅および深さは、基板部１４１の上下幅および厚みと同じになっている。本体１２１における第１凹部１２６と第２凹部１２９との間には、該本体１２１を左右に貫通するネジ挿通孔１３３が、前後に離間して複数(実施例では２つ)設けられている。各ネジ挿通孔１３３,１３３には、本体１２１を挟んでカバー体１２２と支持ブラケット１４０とを締結する締結ネジ(図示せず)が貫通するようになっている。また、本体１２１の下側部分には、図９〜図１１に示すように、該本体１２１を左右に貫通する貫通口１３４が前後の離間して複数(実施例では３つ)形成されており、該本体１２１は剛性を確保したもとで軽量化が図られている。
【００５０】
(カバー体)
カバー体１２２は、図１０および図１１に示すように、前後に延在して右側、前面および後面に開口し、前述した第１収容空間１２３の左半分を画成する第３凹部１３５が設けられている。第３凹部１３５は、前後方向に延在すると共に左方に開口する半樋形状をなし、本体１２１の第１凹部１２６に整合するようになっている。第３凹部１３５における前後中央よりも前側部分に、連係部材１１３の軸部を回転可能に枢支する第２軸支部１３６が設けられている。第２軸支部１３６は、本体１２１に設けられた第１軸支部１２７と共に連係部材１１３を左右から挟むことで、該連係部材１１３を回転可能に支持するようになっている。
【００５１】
カバー体１２２には、図１０および図１１に示すように、第３凹部１３５の上側に、該カバー体１２２を左右に貫通するネジ挿通孔１３７が、前後に離間して複数(実施例では２つ)設けられている。各ネジ挿通孔１３７,１３７は、本体１２１に設けられた各ネジ挿通孔１３３,１３３に夫々整合するようになっており、本体１２１を挟んでカバー体１２２と支持ブラケット１４０とを締結する締結ネジが貫通するようになっている。また、カバー体１２２の後端に、支持ブラケット１４０の後支持板部１４３に係止する係止片１３８が設けられている。
【００５２】
(支持ブラケット)
支持ブラケット１４０は、図１０および図１１に示すように、ケース部材１１３の本体１２１とカバー体１２２とを組み付けて支持する機能と、該ケース部材１１３と錠操作部１１１とを連結する機能と、該ケース部材１１３を前枠１３のベース部材５１における施錠装置取付部５８に固定する機能とを兼有した部材である。支持ブラケット１４０は、ケース部材１１３の右外側面１１３ｂに沿って延在する基板部１４１と、該基板部１４１の前縁に連設された前支持板部１４２と、該前基板部１４１の後縁に連設された後支持板部１４３とを備え、前支持板部１４２および後支持板部１４３でケース部材１１３を前後から支持するようになっている。実施例の支持ブラケット１４０は、基板部１４１、前支持板部１４２および後支持板部１４３が、鋼またはアルミニウム等の金属製の一体成形部材であり、照射された光を反射可能になっている。
【００５３】
基板部１４１は、ケース部材１１３の本体１２１に形成された前述の嵌合凹部１３２に嵌合する矩形状に形成されており、該嵌合凹部１３２に嵌合した基板部１４１は、ケース部材１１３の右外側面１１３ｂから突出しないようになっている。基板部１４１には、前述した締結ネジが締結するネジ締結孔１４４,１４４が、前後に離間して複数(実施例では２つ)設けられている。
【００５４】
前支持板部１４２は、図１０および図１１に示すように、ケース本体１２１の前面形状と同じ外縁形状に形成されており、錠操作部１１１の取付板部１１７に設けられたネジ挿通孔１１７ａに挿通されたネジが締結するネジ締結孔１４４が設けられている。また、前支持板部１４２には、ケース部材１１３の第１収容空間１２３の前側開口に整合する第１貫通口１４５と、第２収容空間１２４の前側開口に整合する第２貫通口１４６とが形成されている。
【００５５】
後支持板部１４３は、図１０および図１１に示すように、ケース本体１２１の後面形状とは異なる上下に長い略矩形状に形成されており、前枠１３のベース部材５１に設けられた施錠装置取付部５８に該後支持板部１４３を締結するネジが挿通可能なネジ挿通孔１４７が設けられている。また、後支持板部１４３には、ケース部材１１３の第１収容空間１２３の後側開口に位置する軸支孔１４８と、第２収容空間１２４の後側開口に位置する第３貫通口１４９が形成されている。軸支孔１４８は、連係部材１１３を回転自在に支持可能なサイズに形成されている。また、第３貫通口１４９は、操作機構１２５における第２操作部材１６１の操作片１６７(図１０〜図１２参照)が挿通可能なサイズに形成されている。また、後支持板部１４３の左縁には、ケース本体１２１のカバー体１２２に設けられた前述の係止片１３８が係止する係止凹部１５０が設けられている。
【００５６】
(連係部材)
連係部材１１３は、図１０および図１１に示すように、ケース部材１１３の前後長と略同じ長さに丸棒状部材である。連係部材１１３は、丸棒状の軸本体１２１の前端部に、ジョイント部材１１９に連結される前連結部１５２が設けられると共に、該軸本体１２１の後端部に、解錠部１１４が固定される後連結部１５３が設けられている。前連結部１５２は、軸本体１２１より太径に形成されると共に、該前連結部１５２の前端は、ジョイント部材１１９の後部に設けられた矩形凹部１１９ａに差し込み嵌合する矩形軸状に形成されている。従って、前連結部１５２がジョイント部材１１９に差し込み嵌合することで、連係部材１１３とジョイント部材１１９との相対的な回転が規制され、ジョイント部材１１９の回転に対して連係部材１１３が軸回りに従動回転するようになっている。後連結部１５３は、軸本体１２１より太径に形成されて、支持ブラケット１４０の後支持板部１４３に形成された軸支孔１４８に摺動回転可能に支持されるようになっている。また、後連結部１５３の後端は、解錠部１１４に設けられた矩形開口１１４ｄに差し込み嵌合する矩形軸状に形成されている。
【００５７】
連係部材１１３には、図１０および図１１に示すように、前連結部１５２の後端から後方へ離間した位置に、軸本体１２１より太径のフランジ１５４が設けられている。ここで、前連結部１５２の後端とフランジ１５４の前端との前後間隔は、ケース部材１１３の本体１２１に設けられた第１軸支部１２７およびカバー体１２２に設けられた第２軸支部１３６の前後幅と同じに設定されている。すなわち、第１軸支部１２７および第２軸支部１３６を、前連結部１５２およびフランジ１５４で前後から挟むことで、ケース部材１１３の第１収容空間１２３内に収容された連係部材１１３が、該第１収容空間１２３内において前後へ移動することが規制されるよう構成されている。
【００５８】
連係部材１１３には、図１０および図１１に示すように、ねじりバネ１５６が配設されている。そして、連係部材１１３には、フランジ１５４の後側に、ねじりバネ１５６の各脚部１５６ａ,１５６ａが係止する係止爪部１５７が設けられている。係止爪部１５７は、錠操作部１１１における外枠１１に対する中枠１２の解錠操作に際して連係部材１１３が軸回りの一方へ回転する際に、ねじりバネ１５６における一方の脚部１５６ａを他方の脚部１５６ａから離間移動させるようになっており、これにより発現した当該ねじりバネ１５６の付勢力により、連係部材１１３を初期状態に回転させ得るようになっている。また、係止爪部１５７は、錠操作部１１１における中枠１２に対する前枠１３の解錠操作に際して連係部材１１３が軸回りの他方へ回転する際に、ねじりバネ１５６における他方の脚部１５６ａを一方の脚部１５６ａから離間移動させるようになっており、これにより当該ねじりバネ１５６に発現した付勢力により、連係部材１１３を初期状態に回転させ得るようになっている。
【００５９】
(解錠部)
解錠部１１４は、図１０、図１１および図１３(ｂ)に示すように、連係部材１１３の後連結部１５３に固定される固定部１１４ａと、該固定部１１４ａから径方向へ延出する第１解錠片１１４ｂと、該固定部１１４ａから第１解錠片１１４ｂと異なる径方向へ延出する第２解錠片１１４ｃとを備えている。第１解錠片１１４ｂと第２解錠片１１４ｃとは、連係部材１１２の軸方向にずらして形成され、第１解錠片１１４ｂが第２解錠片１１４ｃより後方に位置している。第１解錠片１１４ｂは、中枠１２に設けられた前述の第１作動部材２７に係脱可能となっており、施錠装置１１０の鍵穴１１８に差し込んだ鍵を一方へ回転させる操作に基づき、解錠部１１４が図１３(ｂ)において反時計方向へ回転すると、該第１解錠片１１４ｂが第１作動部材２７に係止して該第１作動部材２７が解錠位置に移動することで、中枠１２と外枠１１とが解錠される。また、第２解錠片１１４ｃは、前枠１３に設けられた前述の第２作動部材２８の係止部２８ｂ(図１３(ｂ)参照)に係脱可能となっており、施錠装置１１０の鍵穴１１８に差し込んだ鍵を他方へ回転させる操作に基づき、解錠部１１４が図１３(ｂ)で時計方向へ回転すると、第２解錠片１１４ｃが係止部２８ｂに係止して該第２作動部材２８が解除位置にスライドすることで、前枠１３と中枠１２とが解錠される。
【００６０】
(操作機構)
操作機構１２５は、ケース部材１１３の後側(支持ブラケット１４０の後支持板部１４３の後側)から、錠操作部１１１の操作レバー１２０を操作可能として、該操作レバー１２０の操作による鍵の変更作業を行うものである。操作機構１２５は、図１０および図１１に示すように、ケース部材１１３に設けられた第２収容空間１２４内に配設され、操作レバー１２０に係脱可能に係合する第１操作部材１６０と、該第１操作部材１６０に連結された第２操作部材１６１から構成されている。
【００６１】
(第１操作部材)
第１操作部材１６０は、図１０および図１１に示すように、本体１２１の第２凹部１２９に設けられた軸支孔１３０に差し込まれる支軸１６２が形成されたブロック部材であり、該軸支孔１３０を中心として回動可能に本体１２１に配設されている。第１操作部材１６０は、支持ブラケット１４０の前支持板部１４２に設けられた第２貫通口１４６から前方へ突出する係止爪部１６３を備えており、軸支孔１３０を中心として回転することで、係止爪部１６３が、図１２(ａ)に示す初期位置から図１２(ｂ)に示す操作位置へ移動するようになっている。また、第１操作部材１６０は、第２操作部材１６１に設けられた連結軸１６６が係止する連結孔１６４を備えている。連結孔１６４は、支軸１６２から該支軸１６２の径方向へ離間した位置に設けられている。従って、連結孔１６４は、第１操作部材１１３が軸支孔１３０を中心として回動することで、前後方向へ円弧状に移動するようになっている。
【００６２】
(第２操作部材)
第２操作部材１６１は、図１０および図１１に示すように、前後に細長いロッド状部材であり、前後方向の中間部分には、左右方向へ開口した係止口１６５が設けられており、本体１２１の第２凹部１２９に設けられた凸部１３１が該係止口１６５に係合した状態で第２収容空間１２４内に配設される。係止口１６５の前後長は、凸部１３１よりも長くなっており、第２連係部材１１３は、第２収容空間１２４内を前後方向へスライド移動が可能となっており、図１２(ａ)に示す初期位置および図１２(ｂ)に示す押圧位置の間を移動可能となっている。第２操作部材１６１の前端部には、第１操作部材１６０の連結孔１６４に係止する連結軸１６６が設けられており、第２操作部材１６１と第２操作部材１６１とは、連結軸１６６と連結孔１６４との係止により常に連結された状態で第２収容空間１２４内に配設される。第２操作部材１６１の後端部には、後方へ突出した操作片１６７が設けられており、該操作片１６７は、前述した初期位置において、支持ブラケット１４０の後支持板部１４３に設けられた第３貫通口１４９を介して該後支持板部１４３から後方へ突出するようになっている。更に、係止口１６５と凸部１３１との間には、第２操作部材１６１を初期位置側に付勢する付勢手段としての圧縮コイルバネ１６８が配設されており、第２操作部材１６１は、初期位置側へ弾力的に付勢保持されるようになっている。
【００６３】
前述した操作機構１２５は、操作片１６７に対する非操作時では、図１２(ａ)に示すように、圧縮コイルバネ１６８の付勢力により第２操作部材１６１が初期位置に保持されることで、第１操作部材１６０が初期位置に保持され、該第１操作部材１６０の係止爪部１６３が錠操作部１１１の操作レバー１２０を押圧しないようになっている。一方、操作片１６７を前方へ押した操作時では、図１２(ｂ)に示すように、第２操作部材１６１が初期位置から押圧位置へ移動するに伴い、第１操作部材１６０が初期位置から操作位置へ回動するようになることで、該第１操作部材１６０の係止爪部１６３が操作レバー１２０を下方へ押すことで、前述した鍵の変更作業が可能となる。
【００６４】
(前枠に対する施錠装置の取り付け)
前述のように構成された実施例の施錠装置１１０は、図１３に示すように、前枠１３の基枠５０に設けられた施錠装置取付部５８に対し、基枠５０の後側から錠操作部１１１から差し込むと共に、支持ブラケット１４０の後支持板部１４３を、ベース部材５１に設けられた施錠装置取付部５８にネジ止めすることで、前枠１３に対して所定の姿勢で取り付けられる。そして、第３装飾カバー部材８２の内部空間Ｓ内を前後方向に延在する姿勢で固定された施錠装置１１０は、図１５および図１６に示すように、ケース部材１１３および支持ブラケット１４０に支持された錠操作部１１１の前面が、該第３装飾カバー部材８２の前部に設けられた錠開口１００に整合して、鍵穴１１８が該錠開口１００から前方へ露出した状態となる(図１、図３、図１５、図１６参照)。また、第３装飾カバー部材８２の内部空間Ｓに収容されたケース部材１１３は、支持ブラケット１４０の基板部１４１が嵌合した右外側面１１３ｂが、外壁部材９０の側面光透過部９６における下側部位に対し、第３照明装置７２の第３発光体７２ｂを挟んで対向している(図１４参照)。実施例では、第３照明装置７２における２つの第３発光体７２ｂを挟んで、支持ブラケット１４０の基板部１４１が嵌合した右外側面１１３ｂが、外壁部材９０の側面光透過部９６における下側部位に対向している。
【００６５】
図１４に示すように、第３装飾カバー部材８２の内部空間Ｓに収容されたケース部材１１３の右外側面１１３ｂは、該内部空間Ｓに配設された第４照明装置７３の第４発光基板７３ａの延在方向に沿う上下方向へ延在している。また、内部空間Ｓに収容されたケース部材１１３の左外側面１１３ａは、該左外側面１１３ａの上縁が第４照明装置７３の第４発光基板７３ａの下端に隣接すると共に、該左外側面１１３ａの傾斜部分が、下方にいくにつれて左側(窓口１３ａ側)へ変位している。すなわち、左外側面１１３ａは、第４照明装置７３の第４発光基板７３ａ側に向いており、第４発光体７３ｂからの光が該傾斜部分で反射可能な反射部となっている。
【００６６】
また、実施例の施錠装置１１０は、ケース部材１１３の前後に延在する右外側面１１３ｂが、該右外側面１１３ｂと隣り合う位置に配設された第３照明装置７２の第３発光体７２ｂから前方に照射した光を反射し得る反射部として機能するようになっている。ケース部材１１３の右外側面１１３ｂには、支持ブラケット１４０の基板部１４１が配設されており、該基板部１４１も反射部を構成している。特に、支持ブラケット１４０が金属製であり、かつ該支持ブラケット１４０の基板部１４１が、ケース部材１１３の右外側面１１３ｂにおける垂直部分の略全体を占める矩形板状の部材であることから、該基板部１４１が配設された右外側面１１３ｂは第３発光体７２ｂからの光を反射し易くなっている。
【００６７】
従って、実施例のパチンコ機１０では、第３照明装置７２の第３発光体７２ｂから前方に照射した光と右外側面１１３ｂにより反射した反射光により、第３装飾カバー部材８２における錠開口１００の周辺部に設けられた前光透過部１０１を照明可能に構成されている。また、第３照明装置７２の第３発光体７２ｂから照射した光および右外側面１１３ｂによる反射光により、第３装飾カバー部材８２における外壁部材９０に設けられた側面光透過部９６を照明可能に構成されている。また、第３照明装置７２の第３発光体７２ｂから照射した光および第４照明装置７３の第４発光基板７３ａによる反射光によっても、外壁部材９０に設けられた側面光透過部９６が照明可能となっている。すなわち、外壁部材９０の側面光透過部９６は、第３照明装置７２の第３発光体７２ｂから照射された光と、施錠装置１１０の右外側面１１３ｂによる反射光と、第４発光基板７３ａによる反射光とにより照明されて、該側面光透過部９６はその全体が略均一に照明され得るよう構成されている。更に、第４照明装置７３の第４発光体７３ｂから左方に照射した光と左外側面１１３ａにより反射した反射光により、第３装飾カバー部材８２における内側部材８８に設けられた装飾部材９４を照明可能に構成されている。
【００６８】
〔実施例の作用〕
次に、前述のように構成された実施例に係るパチンコ機１０の作用につき説明する。
【００６９】
遊技盤３０の遊技領域３２に打ち出されたパチンコ球が第１始動入賞装置３４または第２始動入賞装置３５に入賞すると、図柄表示装置４５の表示部４６で図柄変動が開始され、所要の図柄変動演出が行われる。図柄表示装置４５の表示部４６で行われる図柄変動演出の結果、該表示部４６に所定の図柄組合わせで図柄が停止表示されたときに大当りが発生する。そして、大当りが発生すると、図柄表示装置４５の表示部４６に表示された図柄組み合わせに応じて、特別入賞装置３６の特別入賞口が開放され、遊技者は多くの賞球が獲得可能となる。
【００７０】
実施例のパチンコ機１０では、図柄表示装置４５の表示部４６で行われる図柄変動演出に応じて、第１〜第４照明装置７０,７１,７２,７３が発光・点滅制御され、窓口１３ａの外周において行われる発光による演出により遊技の興趣が向上される。またパチンコ機１０では、遊技者が遊技を行っていない客待ち状態においても、第１〜第４照明装置７０,７１,７２,７３を発光・点滅制御することで、遊技店内の客の注意を惹いて当該パチンコ機１０で遊技を行うことを促している。
【００７１】
実施例のパチンコ機１０は、図３に示す如く、前枠１３の窓口１３ａを囲う左右両側および上側に取り付けられた第１〜第３装飾カバー部材８０,８１,８２が、何れも前方へ膨出する立体的な形状に形成されている。また、第１〜第３装飾カバー部材８０,８１,８２の前端部は、窓口１３ａの左下部側から左上隅部を経て右上隅部に向かうにつれて徐々に前方へ変位すると共に、該右上隅部から右下部は前方への延出寸法がほぼ同じになっている。すなわち、前枠１３の前側の形態が立体的でかつ左右非対称で遊技者の注意を惹くことができるデザインとなっているので、他機種との差別化を図ることができる。
【００７２】
また、図２および図３に示す如く、前枠１３の左側に位置する第１装飾カバー部材８０に対して右側に位置する第３装飾カバー部材８２の前方への突出寸法を大きくし、かつ該第３装飾カバー部材８２の外側面に、図３に示すように側面光透過部９６が形成されて、第３照明装置７２の発光により側面光透過部９６が照明されて明輝するようになっている。従って、遊技を行うパチンコ機１０を探している客の注意を惹いて集客力を向上し得る。また、第３装飾カバー部材８２における側面光透過部９６が形成される面は略平坦であるので見易く、かつ該側面光透過部９６は非光透過部９５で囲われているので、照明された場合には明輝して目立ち、注目度を高めることができる。
【００７３】
(第３装飾カバー部材における照明態様)
図１４および図１６に示すように、第３照明装置７２の第３発光体７２ｂを発光制御すると、該第３発光体７２ｂからの光は、第３装飾カバー部材８２に内部画成された内部空間Ｓにおいて、施錠装置１１０の右外側面１１３ｂおよび第４発光基板７３ａの裏面７４と、外壁部材９０の側面光透過部９６との間に向けて照射される。第３発光体７２ｂから前方へ照射された光と、該光が施錠装置１１０の右外側面１１３ｂに配設された基板部１４１により反射した反射光により、第３装飾カバー部材８２における錠開口１００の周辺部に設けられた前光透過部１０１が照明されて明輝するようになる。
【００７４】
また、第３照明装置７２の第３発光体７２ｂから前方へ照射された光と、該光が施錠装置１１０のケース部材１１３の右外側面１１３ｂに配設された基板部１４１により反射した反射光と、第４発光基板７３ａの裏面７４により反射した反射光とにより、外壁部材９０に設けられた側面光透過部９６が照明されて明輝する。
【００７５】
一方、第４照明装置７３の第４発光体７３ｂを発光制御すると、該第４発光体７３ｂからの光は第３装飾カバー部材８２の内壁部材８８を透過して、該内壁部材８８の外面に配設された装飾部材９４に照射される。これにより、第３装飾カバー部材８２において、窓口１３ａに臨む各装飾部材９４が照明されて明輝するようになる。また、第４発光体７３ｂからの光が、施錠装置１００のケース部材１１３の左外側面１１３ａで反射され、これによる反射光も内壁部材８８を透過して、該内壁部材８８の外面に配設された各装飾部材９４に照射される。
【００７６】
実施例のパチンコ機１０では、前枠１３の基枠５０における右枠部５６の前面と第３装飾カバー部材８２との間に、施錠装置１１０における鍵穴１１８を第３装飾カバー部材８２の錠開口１００に臨ませた錠操作部１１１を支持するケース部材１１３が、前後に延在している。そして、施錠装置１１０のケース部材１１３には、第３照明装置７２の第３発光体７２ｂと隣り合う右外側面１１３ｂが設けられているので、この右外側面１１３ｂによる反射光が、第３装飾カバー部材８２における錠開口１００の周辺部に設けられた前光透過部１０１の照明に寄与する。従って、施錠装置１１０が第３照明装置７２による照明の邪魔にならず、むしろ該施錠装置１１０が該第３照明装置７２による照明を補助して、第３装飾カバー部材８２による装飾効果を向上させることができる。
【００７７】
また、第３装飾カバー部材８２において、施錠装置１１０のケース部材１１３における右外側面１１３ｂと対向する外壁部材９０に設けられた側面光透過部９６が、第３照明装置７２の第３発光体７２ｂから照射した光および右外側面１１３ｂによる反射光で照明される。従って、施錠装置１１０が第３照明装置７２の第３発光体７２ｂによる照明を補助して、第３装飾カバー部材８２による装飾効果を向上させることができる。
【００７８】
そして、第３照明装置７２の第３発光体７２ｂを発光制御することで、第３装飾カバー部材８２の内部空間Ｓにおいて、該第３発光体７２ｂの側方に並んで配設された施錠装置１１０および第４照明装置７３の第４発光基板７３ａにより、該第３発光体７２ｂから照射された光が、外壁部材９０の側面光透過部９６側へ反射されるようになることで、該側面光透過部９６の全体を略均等に照明して明輝させることができる。すなわち、外壁部材９０の側面光透過部９６において、施錠装置１１０のケース部材１１３と対向する部位が、該側面光透過部９６におけるケース部材１１３と対向しない部位より暗くなることが防止され、側面光透過部９６の全体が略均等に照明されることで、良好な見栄えを維持して装飾効果を向上させることができる。
【００７９】
また、第３装飾カバー部材８２において、施錠装置１１０のケース部材１１３における左外側面１１３ａと対向する内壁部材８８に設けられた装飾部材９４が、第４照明装置７３の第４発光体７３ｂから照射した光および左外側面１１３ａによる反射光で照明される。従って、施錠装置１１０が第４照明装置７３の第４発光体７３ｂによる照明を補助して、第３装飾カバー部材８２による装飾効果を向上させることができる。
【００８０】
そして、第４照明装置７３の第４発光体７３ｂを発光制御することで、該第４発光体７３ｂから照射された光が、ケース部材１１３の左外側面１１３ａにより装飾部材９４側へ反射されるようになることで、該装飾部材９４の全体を略均等に照明して明輝させることができる。すなわち、内壁部材８８の装飾部材９４において、施錠装置１１０のケース部材１１３と対向する部位が、該装飾部材９４におけるケース部材１１３と対向しない部位より暗くなることが防止され、装飾部材９４の全体が略均等に照明されることで、良好な見栄えを維持して装飾効果を向上させることができる。
【００８１】
(変更例)
本願は前述した実施例の構成に限定されるものではなく、その他の構成を適宜に採用することができる。
（１）実施例では、第３装飾カバー部材の外壁部材における光透過部を、基枠の右枠部に配設した第３照明装置で照明するよう構成したが、第３装飾カバー部材の内壁部材における装飾部材を、右枠部に配設した第３照明装置で照明するようにしてもよい。この場合には、施錠装置１１０のケース部材を、第３照明装置の第３発光体を挟んで内壁部材と反対側(外壁部材側)に配設して、該ケース部材の左外側面を第３発光体と隣り合い位置となるようにすることで、第３発光体から照射された光がケース部材の左外側面で反射し、該反射光により内壁部材に配設された装飾部材を照明することが可能である。なお、この構成では、第３装飾カバー部材の収容空間内に配設する第４照明装置は、第４発光体が外壁部材の光透過部に向いた姿勢で第４発光基板を配設して、該第４発光体により外壁部材の光透過部を照明するようにしてもよい。
（２）施錠装置のケース部材の外形形状は、実施例で例示したものに限定されるものではなく、様々な縦断面形状のものが実施可能である。例えば、ケース部材における照明装置と隣り合う反射部は、前方にいくにつれて照明装置側へ変位するよう傾斜して形成してもよい。反射部をこのように傾斜させることにより、照明装置からの照射された光が当たり易くなって、壁部側へ反射させ易くすることができる。
（３）ケース部材に設けられる反射部は、実施例で例示した平坦に構成したものに限らず、反射面を凹凸形状としたり所要の模様を形成して、照明装置から照射された光を反射し易い部分および反射し難い部分を設けるようにしてもよい。また、ケース部材の外面において、照明装置からの光が照射可能な部分を、凹凸形状としたり所要の模様を形成してもよい。
（４）ケース部材は、外面の全体または一部を、メッキ処理や塗装により表面処理を施すことで、照明装置から照射される光の反射率を高めるようにしてもよい。
（５）ケース部材、連係部材および支持ブラケットは、装飾部材の前面とベースとの前後寸法に基づいて前後長が設定される。すなわち、実施例で例示した第３装飾カバー部材より前後長が小さい装飾部材の場合は、ケース部材、連係部材および支持ブラケットの前後長は実施例より小さくなり、実施例で例示した第３装飾カバー部材より前後長が大きい装飾部材の場合は、ケース部材、連係部材および支持ブラケットの前後長も大きくなる。
（６）施錠装置の操作機構は、実施例の如く、第２操作部材が前後にスライドすることで第１操作部材を回動させる形態に限るものではなく、第２操作部材を、その前後方向の中間部に設けた支軸でケース本体に回動可能に配設して、第２操作部材の後端部に設けた操作片を上下方向にスライドさせて該第２操作部材を回動させことで、第１操作部材が回動して操作レバーを操作する構成としてもよい。
（７）実施例では、第３装飾カバー部材を複数の部材から構成した場合で説明したが、単一の部材で構成したものであってもよい。
（８）実施例では、各装飾カバー部材を透明とした場合で説明したが、透明に限らず透光性であればよい。
（９）遊技機としては、パチンコ機に限られるものではなく、第１の基体としての本体にヒンジ接続されて開閉可能な第２の基体としての前扉体と、本体および前扉体の設けられて本体および前扉体を閉鎖状態で保持する施錠機構と、前扉体に施錠機構と連係した状態で設けられ、鍵による解錠操作により施錠機構を作動して本体および前扉体の相対的な開放を許容する施錠装置とを備えたスロットマシンや、アレンジボール機、等も対象とされる。
【符号の説明】
【００８２】
１２ 中枠(第１の基体)，１３ 前枠(第２の基体)，２６ 施錠機構，５０ 基枠(ベース)
７２ 第３照明装置(照明手段)，７２ｂ 第３発光体(発光部)
７３ 第４照明装置(照明手段)，７３ｂ 第４発光体(発光部)
８２ 第３装飾カバー部材(装飾部材)，８８ 内壁部材(壁部)
８９ 前壁部材(壁部)，９０ 外壁部材(壁部)，９４ 装飾部材(光透過部)
９６ 側面光透過部(光透過部)，１００ 錠開口(開口)，１０１ 前光透過部(光透過部)
１１０ 施錠装置，１１１ 錠操作部，１１２ 連係部材，１１３ ケース部材
１１３ａ 左外側面(反射部)，１１３ｂ 右外側面(反射部)，１１４ 解錠部
１１６ 錠軸，１１８ 鍵穴，Ｓ 内部空間(空間)
【図１】
2016041187.tif 000003
【図２】
2016041187.tif 000004
【図３】
2016041187.tif 000005
【図４】
2016041187.tif 000006
【図５】
2016041187.tif 000007
【図６】
2016041187.tif 000008
【図７】
2016041187.tif 000009
【図８】
2016041187.tif 000010
【図９】
2016041187.tif 000011
【図１０】
2016041187.tif 000012
【図１１】
2016041187.tif 000013
【図１２】
2016041187.tif 000014
【図１３】
2016041187.tif 000015
【図１４】
2016041187.tif 000016
【図１５】
2016041187.tif 000017
【図１６】
2016041187.tif 000018